(57)【要約】【課題】装置を構成している各種ハードウェアを水濡れによる損害から回避させること。【解決手段】装置１００のキー入力用のキーマトリクス回路１１０を構成している複数のキースイッチから送られてくる信号を入力する信号入力部１２４と、信号入力部１２４が入力した信号が、キー入力のために割り当てられたキースイッチから送られた信号であるか否かを判定する判定部１２５と、入力された信号が、キー入力のために割り当てられていないキースイッチから送られた信号であると判定部１２５が判定した場合に、バッテリーから各ハードウェアへの電力の供給を遮断するよう制御する電力供給遮断制御部１２７とを備える。【選択図】図２
2011066490.tif 000002
【特許請求の範囲】
【請求項１】
装置を構成している各種ハードウェアを水濡れによる損害から回避させる水濡れ損害回避装置であって、
前記装置のキー入力用のキーマトリクス回路を構成している複数のキースイッチから送られてくる信号を入力する信号入力部と、
前記信号入力部が入力した信号が、キー入力のために割り当てられたキースイッチから送られた信号であるか否かを判定する判定部と、
前記入力された信号が、キー入力のために割り当てられていないキースイッチから送られた信号であると前記判定部が判定した場合に、バッテリーから前記各ハードウェアへの電力の供給を遮断するよう制御する電力供給遮断制御部と
を備える水濡れ損害回避装置。
【請求項２】
前記電力供給遮断制御部は、前記バッテリーから各ハードウェアに電力を送っている導線の途中に設けられている電力供給スイッチが開くよう制御することによって、当該バッテリーから各ハードウェアへの電力の供給を遮断する請求項１に記載の水濡れ損害回避装置。
【請求項３】
前記各ハードウェアのうち、１又は複数のハードウェアに対して１つずつ前記電力供給スイッチが設けられている場合に、当該複数の電力供給スイッチのうち、制御対象とすべき電力供給スイッチを決定する制御対象決定部
を更に備え、
前記電力供給遮断制御部は、前記制御対象決定部が決定した電力供給スイッチが開くよう制御する請求項２に記載の水濡れ損害回避装置。
【請求項４】
前記キーマトリクス回路を構成している複数の入力信号ラインをそれぞれ識別するための複数の識別データを生成する識別データ生成部と、
前記識別データ生成部が生成した複数の識別データを示す識別信号を、それぞれ対応する前記入力信号ラインに向けて出力する信号出力部と
を更に備え、
前記信号入力部が入力する信号は、前記信号出力部が出力した識別信号のうちの、いずれかの信号である請求項１乃至３のいずれかに記載の水濡れ損害回避装置。
【請求項５】
装置を構成している各種ハードウェアを水濡れによる損害から回避させる水濡れ損害回避システムであって、
前記装置のキー入力用のキーマトリクス回路を構成している複数のキースイッチから送られてくる信号を入力する信号入力部と、
前記信号入力部が入力した信号が、キー入力のために割り当てられたキースイッチから送られた信号であるか否かを判定する判定部と、
前記入力された信号が、キー入力のために割り当てられていないキースイッチから送られた信号であると前記判定部が判定した場合に、バッテリーから前記各ハードウェアへの電力の供給を遮断するよう制御する電力供給遮断制御部と
を備える水濡れ損害回避システム。
【請求項６】
装置を構成している各種ハードウェアを水濡れによる損害から回避させる水濡れ損害回避方法であって、
前記装置のキー入力用のキーマトリクス回路を構成している複数のキースイッチから送られてくる信号を入力する信号入力ステップと、
前記信号入力ステップにおいて入力された信号が、キー入力のために割り当てられたキースイッチから送られた信号であるか否かを判定する判定ステップと、
前記入力された信号が、キー入力のために割り当てられていないキースイッチから送られた信号であると前記判定ステップにおいて判定された場合に、バッテリーから前記各ハードウェアへの電力の供給を遮断するよう制御する電力供給遮断制御ステップと
を備える水濡れ損害回避方法。
【請求項７】
装置を構成している各種ハードウェアを水濡れによる損害から回避させる水濡れ損害回避プログラムであって、
前記装置を、
前記装置のキー入力用のキーマトリクス回路を構成している複数のキースイッチから送られてくる信号を入力する信号入力部、
前記信号入力部が入力した信号が、キー入力のために割り当てられたキースイッチから送られた信号であるか否かを判定する判定部、
前記入力された信号が、キー入力のために割り当てられていないキースイッチから送られた信号であると前記判定部が判定した場合に、バッテリーから前記各ハードウェアへの電力の供給を遮断するよう制御する電力供給遮断制御部
として機能させる水濡れ損害回避プログラム。
【発明の詳細な説明】
【技術分野】
【０００１】
本発明は、装置を構成している各種ハードウェアを水濡れによる損害から回避させる水濡れ損害回避装置、水濡れ損害回避システム、水濡れ損害回避方法、及び水濡れ損害回避プログラムに関する。
【背景技術】
【０００２】
携帯端末においては、機能の多様化により、アドレス帳やメール、写真、動画等、多くのデータが扱われている。これらデータは、一般的に携帯電話のメモリに保存されているが、例えば、携帯電話が水没することによりメモリやメモリと接続されているハードウェアが故障すると、情報を読み出すことができなくなってしまう。このような状況を回避するために、近年の携帯電話においては、筐体が防水加工されているものがある。しかしながら、筐体に完全な防水加工を施すことは、携帯電話の構造が複雑であるほど困難となる。構造が複雑な携帯電話に完全な防水加工を施す場合、携帯電話のサイズは、求められているサイズよりも大きくなってしまう。また、部品の点数が多い携帯電話の場合には、個々の部品を防水加工する必要があり、コストの増加は免れない。
【０００３】
一方、このような携帯電話の水濡れの問題に関する技術としては、様々な提案がなされている（例えば、特許文献１、２参照）。特許文献１に記載されている技術は、水に濡れると変色するラベルを携帯電話に貼り付けることによって、携帯電話が水濡れしたか否かを判断するというものである。また、特許文献２に記載されている技術は、携帯電話のキー入力に使用されているキーマトリクス回路の一部に水濡れを検出するための回路を付加するというものである。
【先行技術文献】
【特許文献】
【０００４】
【特許文献１】特開２００３−２８３６１９号公報
【特許文献２】特開２００７−１８４７９６号公報
【発明の概要】
【発明が解決しようとする課題】
【０００５】
しかしながら、特許文献１、２に記載されている技術は、共に携帯電話が水濡れしたことを検出することはできるものの、携帯電話が水濡れしたことによって生じる携帯電話の各種ハードウェアの損害を回避することはできない。特に、上述したように、携帯電話には、様々なデータが保存されており、水濡れすることによって、これらデータが消失してしまう可能性もある。また、特許文献２に記載されている技術は、携帯電話のキーマトリクス回路に水濡れを検出するための回路を付加しなければならず、更なる効率の改善が望まれていた。
【０００６】
そこで本発明は、上記課題を解決することができる水濡れ損害回避装置、水濡れ損害回避システム、水濡れ損害回避方法、及び水濡れ損害回避プログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の水濡れ損害回避装置においては、装置を構成している各種ハードウェアを水濡れによる損害から回避させる水濡れ損害回避装置であって、装置のキー入力用のキーマトリクス回路を構成している複数のキースイッチから送られてくる信号を入力する信号入力部と、信号入力部が入力した信号が、キー入力のために割り当てられたキースイッチから送られた信号であるか否かを判定する判定部と、入力された信号が、キー入力のために割り当てられていないキースイッチから送られた信号であると判定部が判定した場合に、バッテリーから各ハードウェアへの電力の供給を遮断するよう制御する電力供給遮断制御部とを備える。
【０００８】
また、本発明の水濡れ損害回避システムにおいては、装置を構成している各種ハードウェアを水濡れによる損害から回避させる水濡れ損害回避システムであって、装置のキー入力用のキーマトリクス回路を構成している複数のキースイッチから送られてくる信号を入力する信号入力部と、信号入力部が入力した信号が、キー入力のために割り当てられたキースイッチから送られた信号であるか否かを判定する判定部と、入力された信号が、キー入力のために割り当てられていないキースイッチから送られた信号であると判定部が判定した場合に、バッテリーから各ハードウェアへの電力の供給を遮断するよう制御する電力供給遮断制御部とを備える。
【０００９】
また、本発明の水濡れ損害回避方法においては、装置を構成している各種ハードウェアを水濡れによる損害から回避させる水濡れ損害回避方法であって、装置のキー入力用のキーマトリクス回路を構成している複数のキースイッチから送られてくる信号を入力する信号入力ステップと、信号入力ステップにおいて入力された信号が、キー入力のために割り当てられたキースイッチから送られた信号であるか否かを判定する判定ステップと、入力された信号が、キー入力のために割り当てられていないキースイッチから送られた信号であると判定ステップにおいて判定された場合に、バッテリーから各ハードウェアへの電力の供給を遮断するよう制御する電力供給遮断制御ステップとを備える。
【００１０】
また、本発明の水濡れ損害回避プログラムにおいては、装置を構成している各種ハードウェアを水濡れによる損害から回避させる水濡れ損害回避プログラムであって、装置を、装置のキー入力用のキーマトリクス回路を構成している複数のキースイッチから送られてくる信号を入力する信号入力部、信号入力部が入力した信号が、キー入力のために割り当てられたキースイッチから送られた信号であるか否かを判定する判定部、入力された信号が、キー入力のために割り当てられていないキースイッチから送られた信号であると判定部が判定した場合に、バッテリーから各ハードウェアへの電力の供給を遮断するよう制御する電力供給遮断制御部として機能させる。
【発明の効果】
【００１１】
本発明によれば、端末の既存のキーマトリクス回路をそのまま利用することによって、端末の水濡れを検出することができる。また、本発明によれば、端末の水濡れを検出することができた場合、端末の各種ハードウェアに電気的な破損等の損害が生じることを未然に回避し得る可能性が大幅に向上する。
【図面の簡単な説明】
【００１２】
【図１】本発明の一実施形態に係る水濡れ損害回避装置１００の概要を示す図である。
【図２】本実施形態に係る携帯電話１００の制御ユニット１２０の機能構成の一例を示す図である。
【図３】本実施形態に係るキースイッチ情報データベース１２１のデータ構造の一例を示す図である。
【図４】本実施形態に係る携帯電話１００における処理の流れの一例を示す図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、本発明の一実施形態に係る携帯電話１００の概要を示す図である。
携帯電話１００は、内蔵する各種ハードウェアを水濡れによる損害から回避させる機能を有する。携帯電話１００は、キーマトリクス回路１１０、制御ユニット１２０、及び複数の電力供給スイッチ１３０ａ〜ｄ（以下、電力供給スイッチ１３０と総称する。）を備える。なお、携帯電話１００は、本発明に係る水濡れ損害回避装置の一例である。水濡れ損害回避装置の実施形態としては、キーマトリクス回路１１０を備え得る端末であればよく、携帯電話１００の他に、ＰＤＡ（Ｐｅｒｓｏｎａｌ  Ｄｉｇｉｔａｌ  Ａｓｓｉｓｔａｎｔｓ）やノートパソコン等が考えられる。
【００１５】
キーマトリクス回路１１０は、キー入力を検出するための回路である。キーマトリクス回路１１０は、入力信号を送るための複数の入力信号ライン１１１ａ〜ｄ（以下、入力信号ライン１１１と総称する。）と、出力信号を送るための複数の出力信号ライン１１２ａ〜ｄ（以下、出力信号ライン１１２と総称する。）と、キースイッチ１１３ａ〜ｐ（以下、キースイッチ１１３と総称する。）とからなる。各入力信号ライン１１１と各出力信号ライン１１２とは、自由な間隔を置いて略格子状に交差している。そして、各キースイッチ１１３は、その各交差点の近傍に１ずつ配置される。但し、入力信号ライン１１１と出力信号ライン１１２とは、交差しているといっても、その交差点が電気的に接続されている訳ではない。入力信号ライン１１１ａ〜ｄは、制御ユニット１２０の信号出力ポート１２８ａ〜ｄ（以下、信号出力ポート１２８と総称する。）にそれぞれ接続されている。また、出力信号ライン１１２ａ〜ｄは、制御ユニット１２０の信号入力ポート１２９ａ〜ｄ（以下、信号入力ポート１２９と総称する。）にそれぞれ接続されている。キースイッチ１１３は、入力信号ライン１１１に接続されている接点と、この接点と離間配置されて出力信号ライン１１２に接続されている接点とからなる。通常、キーマトリクス回路１１０の表面には、メタルドーム等の接点部品が貼り付けられており、更にその上に携帯電話１００の操作ボタンが配置されている。キースイッチ１１３の両接点は、操作ボタンが押下されると、メタルドーム等の接点部品も共に押下されて接触することにより、電気的に接続される。各入力信号ライン１１１には、これら各ラインを個別に識別するための識別信号が制御ユニット１２０から送られている。そして、操作ボタンが押下されることによってキースイッチ１１３の両接点が電気的に接続されると、一方の接点が接続されている出力信号ライン１１２には、入力信号ライン１１１に接続されている他方の接点から識別信号が送られることになる。このように特定の出力信号ライン１１２を介して識別信号が制御ユニット１２０に送られることによって、いずれのキースイッチ１１３が電気的に接続されたのかが特定されることになる。ところで、キーマトリクス回路１１０にあっては、操作ボタンの数よりもキースイッチ１１３の数の方が多く、使用されていないキースイッチ１１３が存在することが多い。本発明は、このような使用されていないキースイッチ１１３を、水濡れを検出するためのセンサとして利用するものである。例えば、キーマトリクス回路１１０における入力信号ライン１１１と出力信号ライン１１２は、等間隔に並んで交差している必要はなく、各ラインの間隔が異なっていたり、各ラインが直線状ではなく曲線状に配設されていたりしても構わない。即ち、キーマトリクス回路１１０の各ラインの交差点に形成されているキースイッチ１１３は、各ラインを自由に配設することによって、携帯電話１００の筐体の所望の位置に配設し得ることになる。そこで、携帯電話１００においては、キー入力用として使用されていないキースイッチ１１３を、携帯電話１００が水濡れしたり水没したりしたときに、電気的な損害から回避すべき各種ハードウェアの近傍に配設する。
【００１６】
制御ユニット１２０は、電力供給スイッチ１３０の制御を行う制御ユニットである。制御ユニット１２０は、各信号出力ポート１２８に接続されている各入力信号ライン１１１にそれぞれ異なる識別信号を送っている。識別信号は、各入力信号ラインを識別し得る信号であればよく、例えば、それぞれ異なる識別子を示すデータとすることが考えられる。そして、制御ユニット１２０は、キースイッチ１１３が電気的に接続されることによって、出力信号ライン１１２を介して信号入力ポート１２９より識別信号を入力する。そして、制御ユニット１２０は、電気的に接続されたキースイッチ１１３がキー入力用として使用されているものであるか否かを判定する。そして、制御ユニット１２０は、キー入力用として使用されていないキースイッチ１１３であると判定した場合、電力供給スイッチ１３０が開くよう制御する。
【００１７】
電力供給スイッチ１３０は、開閉動作することによって、電力の供給と遮断の状態を切り換えるためのスイッチである。携帯電話１００に取り付けられるバッテリー１４０は、無線回路１５０、メモリ回路１６０、撮像回路１７０、及びディスプレイ１８０等の各種ハードウェアに、導線を介してそれぞれ電力を供給している。本実施形態においては、各ハードウェア１５０〜１８０に接続されている各導線に１つずつ電力供給スイッチ１３０が設けられており、各ハードウェア１５０〜１８０への電力の供給が個別に制御されるようになっている。そして、電力供給スイッチ１３０は、制御ユニット１２０からの制御によって開閉動作し、導線に流れている電力の供給と遮断の状態を切り換える。なお、電力供給スイッチ１３０は、各ハードウェアに対応させて１つずつ設けるのではなく、バッテリー１４０に接続されている導線に対して１つだけ設けるようにしてもよいし、いくつかのハードウェア毎に対応するように複数設けるようにしてもよい。
【００１８】
図２は、本実施形態に係る携帯電話１００の制御ユニット１２０の機能構成の一例を示す図である。
制御ユニット１２０は、キースイッチ情報データベース１２１、識別データ生成部１２２、信号出力部１２３、信号入力部１２４、判定部１２５、制御対象決定部１２６、及び電力供給遮断制御部１２７を備える。
【００１９】
キースイッチ情報データベース１２１は、キーマトリクス回路１１０に形成されているキースイッチ１１３に関する情報を格納しているデータベースである（図３参照）。キースイッチ情報データベース１２１は、キースイッチを識別する情報１２１ａ、入力信号ラインを識別する情報１２１ｂ、出力信号ラインを識別する情報１２１ｃ、及びキー入力の割り当てを識別する情報１２１ｄをそれぞれ対応付けて格納している。キースイッチを識別する情報１２１ａは、キーマトリクス回路１１０に形成されている各キースイッチ１１３ａ〜ｐをそれぞれ識別するための情報である。入力信号ラインを識別する情報１２１ｂは、各キースイッチ１１３ａ〜ｐの接点の一方が接続されている入力信号ライン１１１を識別する情報である。出力信号ラインを識別する情報１２１ｂは、各キースイッチ１１３ａ〜ｐの接点の一方が接続されている出力信号ライン１１２を識別する情報である。キー入力の割り当てを識別する情報１２１ｄは、各キースイッチ１１３ａ〜ｐに割り当てられているキー入力の機能を識別する情報である。図３に示す例によれば、キースイッチ「１１３ａ」の両接点は、入力信号ライン「１１１ａ」と出力信号ライン「１１２ａ」にそれぞれ接続されており、１０キーの「１」が割り当てられているということを示している。また、キースイッチ「１１３ｏ」の両接点は、入力信号ライン「１１１ｃ」と出力信号ライン「１１２ｄ」にそれぞれ接続されており、何らキー入力のための割り当てがなされていないことを示している。これは、上述したように、キースイッチ「１１３ｏ」が入力キー用として使用されていないことを意味する。図３に示す例においては、キースイッチ「１１３ｏ」とキースイッチ「１１３ｐ」とが共に使用されていないことになっている。
【００２０】
識別データ生成部１２２は、識別データを生成する処理部である。識別データ生成部１２２は、キーマトリクス回路１１０の各入力信号ライン１１１ａ〜ｄをそれぞれ識別するための複数の識別データを生成し、信号出力部１２３に送る。
信号出力部１２３は、信号を出力する処理部である。信号出力部１２３は、識別データ生成部１２２から複数の識別データを受け取って、受け取った識別データを示す識別信号を、それぞれ対応する入力信号ライン１１１に向けて出力する。また、信号出力部１２３は、各入力信号ライン１１１に向けて出力した識別信号によって示される識別データの対応を示すデータを判定部１２５に送る。
【００２１】
信号入力部１２４は、信号を入力する処理部である。信号入力部１２４は、出力信号ライン１１２から送られてくる識別信号を入力し、入力した識別信号によって示される識別データと、識別信号が入力された信号入力ポート１２９を識別するデータとを判定部１２５に送る。
【００２２】
判定部１２５は、判定を行う処理部である。判定部１２５は、各入力信号ライン１１１に向けて出力した識別信号によって示される識別データの対応を示すデータを信号出力部１２３から受け取る。また、判定部１２５は、入力した識別信号によって示される識別データと、識別信号が入力された信号入力ポート１２９を識別するデータとを信号入力部１２４から受け取る。そして、判定部１２５は、出力した識別信号が再び入力されるに至る過程において電気的に接続されたキースイッチ１１３がキー入力のために使用されているか否かを判定する。そして、判定部１２５は、キースイッチ１１３がキー入力のため使用されていないと判定した場合、そのキースイッチ１１３を特定するデータを制御対象決定部１２６に送る。
【００２３】
制御対象決定部１２６は、制御対象の電力供給スイッチ１３０を決定する処理部である。制御対象決定部１２６は、キースイッチ１１３を特定するデータを判定部１２５から受け取ると、制御対象とすべき電力供給スイッチ１３０を決定し、その電力供給スイッチ１３０を特定するデータを電力供給遮断制御部１２７に送る。
電力供給遮断制御部１２７は、電力供給スイッチ１３０の開閉を制御する処理部である。電力供給遮断制御部１２７は、制御対象決定部１２６から電力供給スイッチ１３０を特定するデータを受け取ると、その電力供給スイッチ１３０が開くよう制御する。
【００２４】
図４は、本実施形態に係る携帯電話１００における処理の流れの一例を示す図である。
以下の説明においては、キーマトリクス回路１１０を構成している各キースイッチ１１３ａ〜ｐには、それぞれ図３に示すようなキー入力の割り当てが行われているものとする。即ち、キースイッチ１１３ａ〜ｎには、それぞれキー入力のための割り当てが成されており、キー入力のために使用されているものとする。また、キースイッチ１１３ｏ及びキースイッチ１１３ｐには、ともにキー入力のための割り当てが成されておらず、キー入力のために使用されていないものとする。
【００２５】
まず、制御ユニット１２０の識別データ生成部１２２は、キーマトリクス回路１１０を構成している各入力信号ライン１１１をそれぞれ識別するための複数の識別データを生成する（Ｓ１０１）。識別データ生成部１２２が生成する識別データは、各入力信号ライン１１１を一意に識別することができるような内容のデータであればよく、例えば、「０」及び「１」のデジタル２値による単純なデータとすることもできる。
【００２６】
そして、制御ユニット１２０の信号出力部１２３は、識別データ生成部１２２が生成した各識別データを示す識別信号を、それぞれ対応するキーマトリクス回路１１０の入力信号ライン１１１に向けて繰り返し出力する（Ｓ１０２）。なお、キー入力又は水濡れ検出の精度を向上させるため、信号出力部１２３が識別信号を繰り返し出力する時間間隔は、なるべく短い方が好ましい。入力信号ライン１１１に向けて出力された識別信号は、キースイッチ１１３の２つの接点が電気的に接続されることによって、出力信号ライン１１２を介して制御ユニット１２０へ送られることとなる。キースイッチ１１３の２つの接点が電気的に接続される要因としては、操作ボタンが押下されることにより両接点がメタルドーム等の接点部品と接触するか、携帯電話１００が水濡れすることにより両接点の間に水が浸入するかのいずれかである。
【００２７】
そして、制御ユニット１２０の信号入力部１２４が識別信号を入力すると（Ｓ１０３）、制御ユニット１２０の判定部１２５は、この識別信号が送られてくるのに電気的に接続されたキースイッチ１１３がキー入力のために使用されているか否かを判定する（Ｓ１０４）。具体的には、判定部１２５は、識別信号によって示される識別データがいずれの入力信号ライン１１１に送られたものであるのかを特定する。また、判定部１２５は、いずれの出力信号ライン１１２から識別信号が送られてきたのかを特定する。そして、判定部１２５は、キースイッチ情報データベース１２１を参照し、特定した入力信号ライン１１１と出力信号ライン１１２とに接点がそれぞれ接続されているキースイッチ１１３を特定し、そのキースイッチ１１３へのキー入力の割り当てを特定する。そして、判定部１２５は、キースイッチ１１３にキー入力の割り当てが成されている場合、このキースイッチ１１３がキー入力のために使用されていると判定する（Ｓ１０４：Ｙｅｓ）。この場合には、本発明に特徴的な処理は何ら行われない。また、判定部１２５は、キースイッチ１１３にキー入力の割り当てが成されていない場合、このキースイッチ１１３がキー入力のために使用されていないと判定する（Ｓ１０４：Ｎｏ）。例えば、入力信号ライン１１１ａに出力された識別信号が出力信号ライン１１２ａを介して入力された場合、判定部１２５は、電気的に接続されたキースイッチ１１３としてキースイッチ１１３ａを特定する。そして、判定部１２５は、キースイッチ１１３ａに１０キーの「１」というキー入力の割り当てが成されていることから、このキースイッチ１１３ａがキー入力のために使用されていると判定する。また、例えば、入力信号ライン１１１ｃに出力された識別信号が出力信号ライン１１２ｄを介して入力された場合、判定部１２５は、電気的に接続されたキースイッチ１１３としてキースイッチ１１３ｏを特定する。そして、判定部１２５は、キースイッチ１１３ｏにキー入力の割り当てが成されていないことから、このキースイッチ１１３ｏがキー入力のために使用されていないと判定する。
【００２８】
そして、識別信号が送られてくるのに電気的に接続されたキースイッチ１１３がキー入力のために使用されていないと判定された場合（Ｓ１０４：Ｎｏ）、制御ユニット１２０の制御対象決定部１２６は、スイッチを開くよう制御すべき対象の電力供給スイッチ１３０を決定する（Ｓ１０５）。上述したように、キーマトリクス回路１１０を構成している各キースイッチ１１３は、水濡れによる電気的な損害から回避すべきハードウェアの近傍に配設されている。例えば、無線回路１５０及びメモリ回路１６０の近傍には、キースイッチ１１３ｏが配設され、撮像回路１７０及びディスプレイ１８０の近傍には、キースイッチ１１３ｐが配設されているとする。この場合、識別信号が送られてくるのに電気的に接続されたキースイッチ１１３がキースイッチ１１３ｏであれば、制御対象決定部１２６は、その近傍の無線回路１５０及びメモリ回路１６０にそれぞれ接続されている電力供給スイッチ１３０ａ及び１３０ｂを制御対象のスイッチとして決定する。また、識別信号が送られてくるのに電気的に接続されたキースイッチ１１３がキースイッチ１１３ｐであれば、制御対象決定部１２６は、その近傍の撮像回路１７０及びディスプレイ１８０にそれぞれ接続されている電力供給スイッチ１３０ｃ及び１３０ｄを制御対象のスイッチとして決定する。
【００２９】
そして、制御ユニット１２０の電力供給遮断制御部１２７は、制御対象決定部１２６によって決定された制御対象の電力供給スイッチ１３０を開くよう制御する（Ｓ１０６）。このようにして制御された電力供給スイッチ１３０に接続されているハードウェアは、バッテリー１４０からの電力の供給が遮断されることになる。
【００３０】
以上説明したように、本実施形態に係る携帯電話１００においては、既存のキーマトリクス回路１１０を構成しているキースイッチ１１３のうち、キー入力のために使用されていないキースイッチ１１３を、水濡れによる電気的な損害から回避すべき各種ハードウェアの近傍に配設し、携帯電話１００が水濡れすることによって、そのキースイッチ１１３の接点が電気的に接続されたことを検出すると、その近傍に位置するハードウェアへの電力の供給を遮断する。このように、本実施形態に係る携帯電話１００においては、水濡れを検出するために特別なセンサ等を用意する必要がなく、既存のハードウェアをそのまま利用することによって水濡れを検出することができる。また、本実施形態に係る携帯電話１００においては、ただ単に水濡れを検出するだけでなく、水濡れが検出された位置に応じて、その近傍のハードウェアが水濡れによる電気的な損害を受けることを防ぐことができる。
【００３１】
以上、本発明を実施の形態を用いて説明したが、本発明の技術的範囲は上記実施の形態に記載の範囲には限定されない。上記実施の形態に、多様な変更または改良を加えることができることが当業者に明らかである。その様な変更または改良を加えた形態も本発明の技術的範囲に含まれ得ることが、特許請求の範囲の記載から明らかである。
【符号の説明】
【００３２】
１００  携帯電話
１１０  キーマトリクス回路
１１１  入力信号ライン
１１２  出力信号ライン
１１３  キースイッチ
１２０  制御ユニット
１２１  キースイッチ情報データベース
１２２  識別データ生成部
１２３  信号出力部
１２４  信号入力部
１２５  判定部
１２６  制御対象決定部
１２７  電力供給遮断制御部
１２８  信号出力ポート
１２９  信号入力ポート
１３０  電力供給スイッチ
１４０  バッテリー
１５０  無線回路
１６０  メモリ回路
１７０  撮像回路
１８０  ディスプレイ
【図１】
2011066490.tif 000003
【図２】
2011066490.tif 000004
【図３】
2011066490.tif 000005
【図４】
2011066490.tif 000006